(57)【要約】【課題】竿管にノズルを挿入して処理剤を噴射しても、挿入側に加圧霧体が逆噴射することがなく、処理剤を無駄にすることのない中通し釣竿用処理用具を提供することを目的とする。【解決手段】本発明の中通し釣竿用処理用具１は、竿管内部に挿入可能であり、噴射口５ａを有するノズル５と、ノズル５の噴射口５ａから噴射される処理剤を収容した容器本体２とを備えており、ノズル５を竿管内部に挿入して処理剤を噴射する際、竿管端部に当て付いて開口部分を閉塞し、逆噴射を防止する逆噴射防止部材７をノズル５に装着したことを特徴とする。【選択図】　　図１
2004073136.tif 000002
【特許請求の範囲】
【請求項１】
中通し釣竿の竿管内部に挿入可能であり、噴射口を有するノズルと、前記ノズルの噴射口から噴射される処理剤を収容した容器本体とを備えており、
前記ノズルに、逆噴射を防止する逆噴射防止部材を装着したことを特徴とする中通し釣竿用処理用具。
【請求項２】
前記逆噴射防止部材は、ノズルに対して着脱自在であり、ノズルの長手方向に沿って移動自在に構成されていることを特徴とする請求項１に記載の中通し釣竿用処理用具。
【請求項３】
噴射口を有するノズルと、前記ノズルの噴射口から噴射される処理剤を収容した容器本体とを備えた中通し釣竿用処理用具の付属品として用いられ、
前記ノズルを中通し釣竿の竿管内部に挿入して処理剤を噴射する際、前記ノズルに装着されて逆噴射を防止することを特徴とする逆噴射防止部材。
【請求項４】
中通し釣竿の竿管内部に挿入可能であり、噴射口を有するノズルと、前記ノズルの噴射口から噴射される処理剤を収容した容器本体と、この容器本体内の処理剤を前記噴射口から噴射させる噴射用押圧ボタンとを備えており、
前記噴射口より噴射用押圧ボタン側に、逆噴射防止部材を設けたことを特徴とする中通し釣竿用処理用具。
【請求項５】
前記逆噴射防止部材は、柔軟性のある材料で形成されていることを特徴とする請求項１ないし４のいずれか１項に記載の中通し釣竿用処理用具。
【発明の詳細な説明】
【０００１】
【発明の属する技術分野】
本発明は、中通し釣竿の内部に撥水処理を施すことを可能にする中通し釣竿用処理用具に関する。
【０００２】
【従来の技術】
中通し釣竿は、外ガイドが装着された釣竿と比べ、使用時に糸絡みが無いことから、船釣りに限られず、磯釣り等においても使用されるようになっている。この中通し釣竿は、釣糸を竿管内部に導入し、先端部から導出する構成のため、水滴等が内部に付着すると、その抵抗により、釣糸の挿通性が悪くなるという問題がある。特に、軽い仕掛けを投擲する磯釣り用の中通し釣竿では、釣糸の挿通性が悪くなると、狙ったポイントに仕掛けを投入し難くなってしまう。
【０００３】
そこで、このような問題を解決するため、例えば、特開平９−８４４９８号には、フッ素系材料のような撥水性を有する材料（以下、処理剤とする）を噴射物質として容器に収容し、細長状のパイプ（噴射ノズル）を介して、竿管内周面に噴射する処理用具（スプレー缶）が開示されている。
【０００４】
上記したスプレー缶を用いて撥水処理を行なう場合、中通し釣竿を竿管毎に分解し、噴射ノズルを竿管内に挿入した状態で噴射ボタンを押し、竿管内部に撥水剤を噴射して、内周面に撥水層を形成する。
【０００５】
【発明が解決しようとする課題】
ところで、内径の小さい竿管の内面に、上記したようなスプレー等を用いて処理剤を噴射、塗布する場合、竿管内部の圧力が噴射圧力により高まると、噴射している側（ノズル挿入側）に加圧霧体が逆噴射し、手や衣服が汚れてしまうという問題がある。特に、処理剤が有色であると、汚れが目立ってしまい、落ち難いという問題がある。また、処理剤を無駄に放出する結果、非経済的であると共に、作業も非効率である。
【０００６】
この発明は、上記した問題に基づいて成されたものであり、竿管にノズルを挿入して処理剤を噴射しても、挿入側に加圧霧体が逆噴射することがなく、処理剤を無駄にすることのない中通し釣竿用処理用具を提供することを目的とする。
【０００７】
【課題を解決するための手段】
上記した目的を達成するために、本発明の中通し釣竿用処理用具は、中通し釣竿の竿管内部に挿入可能であり、噴射口を有するノズルと、前記ノズルの噴射口から噴射される処理剤を収容した容器本体とを備えており、前記ノズルに、逆噴射を防止する逆噴射防止部材を装着したことを特徴とする。
【０００８】
上記した構成において、ノズルを竿管の端部から内部に挿入した際、逆噴射防止部材を竿管の端部に当て付け開口部分を閉塞する。この結果、処理剤を竿管内部に噴射しても加圧霧体が挿入部分から逆噴射することは無い。
【０００９】
なお、上記したような逆噴射防止部材は、中通し釣竿用処理用具の付属品として用いられるものであっても良い。すなわち、逆噴射防止部材は、予めノズルに装着されていたり、必要に応じてノズルに装着できるように構成されているもの（中通し釣竿用処理用具と一体的に販売される）の他、中通し釣竿用処理用具の付属品として、単体で販売されるような構成であっても良い。
【００１０】
また、本発明における上記した逆噴射防止部材は、処理剤が噴射されるノズルの噴射口よりも噴射用押圧ボタン側に装着される部材であれば良い。このため、上記した逆噴射防止部材は、直接ノズルに装着されるものの他、噴射用押圧ボタンに装着されていたり、或いは、容器本体に装着されるものであっても良い。
【００１１】
【発明の実施の形態】
以下、本発明の実施形態を添付図面に沿って具体的に説明する。
図１乃至図３は、本発明の第１の実施形態を示す図であり、図１は、中通し釣竿用処理用具の主要部を示す側面図、図２は、逆噴射防止部材の構成を示す図であり、（ａ）は平面図、（ｂ）は側面図、そして、図３は、中通し釣竿用処理用具の使用状態を示す図である。
【００１２】
中通し釣竿用処理用具１（以下、処理用具）は、上記した処理剤、及び圧縮ガスや液化ガス等の噴射剤を収容する容器本体２と、噴射用押圧ボタン３とを備えており、この噴射用押圧ボタン３には、先端に噴射口５ａを有する細長い管状のノズル５が装着されている。この場合、ノズル５は、噴射用押圧ボタン３の噴射口部分３ａに予め取付けられていても良いし、着脱可能に取付けられるものであっても良い。
【００１３】
そして、ノズル５の基端部には、逆噴射防止部材７が装着されている。この逆噴射防止部材７は、図２に示すように、円形平板状で、中央部にノズル５が挿通される孔７ａが形成されており、前記円形平板状部材の直径は、撥水処理を施す中通し釣竿の竿管の径よりも大きく設定されている。
【００１４】
逆噴射防止部材７を形成する材料は、金属、合成樹脂等を用いることが可能であるが、容器本体２がぐらついても当て付け状態を維持して隙間が生じ難いように、ゴム、エラストマー、コルク、発泡材、スポンジ等、柔軟性のある材料を用いることが好ましく、この観点から、例えば硬度はＪＩＳ　Ｋ６２５３　デュロメータ硬さ試験タイプＥによる８０度以下のものを用いることが好ましい。
【００１５】
上記したように構成された処理用具１の使用態様について説明する。
図３に示すように、竿管１０の内部にノズル５を挿入すると共に、竿管の端面に上記した逆噴射防止部材７を押し付けて密着させる。そして、この状態で噴射用押圧ボタン３を押すことで、竿管内部に処理剤を噴射する。
【００１６】
この場合、竿管の端部は、逆噴射防止部材７によって開口部分が閉塞された状態にあるため、処理剤を竿管内部に噴射しても、加圧霧体が挿入部分から逆噴射することは無く、使用者に噴射物が付着することを防止できる。特に、逆噴射を起こし易い内径が小さい竿管であっても、開口部分を遮蔽するように逆噴射防止部材７を竿管端部に密着することで、使用者の衣服や手に噴射物が付着することを確実に防止することができる。また、処理剤を無駄に放出することがないため、経済的かつ効率的な作業が行なえるようになる。
【００１７】
さらに、逆噴射防止部材７を上記したように柔軟性のある材料で形成することにより、逆噴射防止部材を竿管の端部に押し付け、噴射押圧ボタン３を押す際に容器２がぐらついても、竿管端部と逆噴射防止部材７との間に隙間をでき難くすることができ、逆噴射をより確実に防止することが可能となる。
【００１８】
上記の逆噴射防止部材７は、図４に示すように、ノズル５に着脱自在であり、長手方向に沿って移動自在に構成されていることが好ましい。このような構成によれば、逆噴射防止部材の破損や摩耗に際し、容易に交換できると共に、ノズル５の竿管内挿入長さを調整することができるため、竿管の端部近傍まで斑無く噴射物を塗布し、かつ逆噴射によって衣服や手に噴射物が付着することを防止することができる。
【００１９】
上記した構成において、逆噴射防止部材は、竿管の端部に当接して開口部分を閉塞できるように構成されていれば、その構成については適宜変形することができる。例えば、図５（ａ），（ｂ）の変形例に示すように、平板状である場合、矩形にしたり、多角形状にすることが可能である。
【００２０】
或いは、図６乃至図９に例示する実施形態のように、立体的な形状にしても良い。
図６及び図７は、本発明の第２の実施形態を示す図であり、逆噴射防止部材１７を円錐台形状にした構成を示す。その中心部分には、軸方向に沿って、ノズルが挿通される貫通孔１７ａが形成されており、使用に際しては、先端部分が竿管内に挿入され、かつ傾斜する側面１７ｂが竿管１０の端部内縁に当て付いて開口部分が閉塞される。
【００２１】
このような構成によれば、竿管の径に応じて傾斜側面１７ｂの当て付き部分が変わるだけであり、全ての径の竿管に対応することができる。また、このような構成においても、柔軟性のあるものは勿論、各種の材料を用いて形成することが可能である。
【００２２】
図８及び図９は、本発明の第３の実施形態を示す図であり、逆噴射防止部材２７を立体的に凹状にした構成を示す。その中心部分には、軸方向に沿って、ノズルが挿通される貫通孔２７ａが形成されており、凹部は、噴射用押圧ボタン３側に向けて次第に小径化する内側面２７ｂによって構成されている。そして、使用に際しては、竿管端部を被せるようにし、かつ側面２７ｂが竿管１０の端部外縁に当て付いて開口部分が閉塞される。
【００２３】
このような構成によれば、竿管の径に応じて傾斜内側面２７ｂの当て付き部分が変わるだけであり、全ての径の竿管に対応することができる。また、このような構成においても、柔軟性のあるものは勿論、各種の材料を用いて形成することが可能である。
【００２４】
図１０及び図１１は、本発明の第４の実施形態を示す図である。
上記した実施形態では、逆噴射防止部材７，１７，２７は、いずれも細長い管状のノズル５に装着されていたが、逆噴射防止部材は、そのような細長い管状のノズル５を用いることなく装着することが可能である。
【００２５】
図に示すように、本実施形態の噴射用押圧ボタン３には、噴射口３ｂを有するノズル３ｃが設けられている。このノズル３ｃの長さは、適宜変形することができ、図示されていない保護キャップを被せる際に、保護キャップと干渉しない程度に設けられていれば良い。上記した構成の逆噴射防止部材７は、そのようなノズル３ｃの噴射口３ｂよりも手前側、すなわち噴射用押圧ボタン３側に設けられている。この場合、逆噴射防止部材７は、図に示すように、ノズル３ｃに設けられたものの他、噴射用押圧ボタン３や、容器本体２に設けられていても良い。
【００２６】
このような構成によれば、別途、上記した細長い管状のノズル５を噴射口３ｂに差し込んで使用することができると共に、そのような細長い管状のノズル５を取外した状態で使用することもできる。
なお、この実施形態においても、上記した構成の逆噴射防止部材１７，２７を用いることが可能である。
【００２７】
以上、本発明の実施形態について説明したが、上記した各実施形態における逆噴射防止部材は、処理用具と共に一体的に販売されるものであっても良く、処理用具とは別に単体で販売されるものであっても良い。
【００２８】
【発明の効果】
以上のように、本発明の中通し釣竿用処理用具によれば、竿管にノズルを挿入して処理剤を噴射しても、挿入側に加圧霧体が逆噴射することがなく、処理剤を無駄にすることがなくなる。
【図面の簡単な説明】
【図１】本発明の第１の実施形態を示す図であり、主要部を示す側面図。
【図２】図１の逆噴射防止部材の構成を示す図であり、（ａ）は平面図、（ｂ）は側面図。
【図３】図１の中通し釣竿用処理用具の使用状態を示す図。
【図４】図１の実施形態の変形例を示す図。
【図５】逆噴射防止部材の別の変形例を示す図であり、（ａ）は平面図、（ｂ）は側面図。
【図６】本発明の第２の実施形態を示す図であり、主要部を示す側面図。
【図７】図６の逆噴射防止部材の構成を示す図であり、（ａ）は平面図、（ｂ）は側面図。
【図８】本発明の第３の実施形態を示す図であり、主要部を示す側面図。
【図９】図８の逆噴射防止部材の構成を示す図であり、（ａ）は平面図、（ｂ）は側面図。
【図１０】本発明の第４の実施形態を示す図であり、主要部を示す側面図。
【図１１】図１０に示す構成において、管状のノズルを取外した状態を示す側面図。
【符号の説明】
１　中通し釣竿用処理用具
２　容器本体
３ｃ，５　ノズル
３ｂ，５ａ　噴射口
７，１７，２７　逆噴射防止部材
【図１】
2004073136.tif 000003
【図２】
2004073136.tif 000004
【図３】
2004073136.tif 000005
【図４】
2004073136.tif 000006
【図５】
2004073136.tif 000007
【図６】
2004073136.tif 000008
【図７】
2004073136.tif 000009
【図８】
2004073136.tif 000010
【図９】
2004073136.tif 000011
【図１０】
2004073136.tif 000012
【図１１】
2004073136.tif 000013